(57)【特許請求の範囲】
【請求項１】
コンクリートから発生するアンモニアガス等のアウトガスが室内に放出されることを抑制する方法であって、前記アウトガスを吸着する吸着剤と該アウトガスを分解する光触媒のマイクロカプセルとを含む抑制部材をコンクリート表面を覆うように貼付あるいは塗布することを特徴とするコンクリートからのアウトガス抑制方法。
【請求項２】
コンクリート表面を覆うように貼付あるいは塗布されることによりコンクリートから発生するアンモニアガス等のアウトガスを吸着しかつ分解して該アウトガスが室内に放出されることを抑制する部材であって、前記アウトガスを吸着する吸着剤と該アウトガスを分解する光触媒のマイクロカプセルとを含んでなることを特徴とするアウトガス抑制部材。
【請求項３】
前記光触媒のマイクロカプセルを前記吸着剤に担持せしめ、該光触媒のマイクロカプセルにおけるカプセルの壁材を透光性および通気性を有する薄膜により形成してなることを特徴とする請求項２記載のアウトガス抑制部材。
【請求項４】
前記光触媒のマイクロカプセルを母粒子として、その母粒子の表面に前記吸着剤の微粒子をカプセルの壁材として付着せしめてなることを特徴とする請求項２記載のアウトガス抑制部材。
【請求項５】
コンクリートの表面に貼付されるシート状の基材中に前記吸着剤と前記光触媒のマイクロカプセルとを分散せしめ、かつ該基材の表面に光触媒または光触媒のマイクロカプセルを積層してなることを特徴とする請求項２，３または４記載のアウトガス抑制部材。
【発明の詳細な説明】
【０００１】
【発明の属する技術分野】
本発明は、コンクリートから発生するアウトガスが室内に放出されることを抑制する方法およびそのための部材に関する。
【０００２】
【従来の技術】
近年、美術館や博物館等の躯体や内装材を形成しているコンクリートから発生するアウトガスが絵画や美術品の劣化を促進することが明らかになり、特にコンクリートから発生するアンモニアガスが油絵を黄変させることが問題視されている。このためその対策が必要とされ、美術館等においては室内のアンモニア濃度を数十ｐｐｂ以下に抑制する必要があるとされている。
【０００３】
コンクリートからのアンモニアガスの発生量は時間の経過とともに漸次減少していくが、室内のアンモニア濃度を上記のような許容限度以下に維持し得るまでには通常６ヵ月から１年もの長期間を要してしまうものである。その期間は温度を高めるなどしてコンクリートを強制的に乾燥させることで多少は短縮させ得るが、いずれにしてもそのような長期にわたって建物の使用を控えることは現実的ではないから、アンモニアガスを積極的に抑制するための対策が不可欠であり、たとえば活性炭等の吸着剤を含有するシートをコンクリート表面に張り付けることによってコンクリートから発生したアンモニアガスを吸着し、それがそのまま室内に放出されることを防止するといった対策が検討されている。
【０００４】
【発明が解決しようとする課題】
しかし、上記のような吸着剤によることでは、吸着剤が飽和してしまうとそれ以上の吸着は行い得ず、それ以降はシートをそのまま透過してアンモニアガスが室内に放出されてしまうことになる。しかも、一般に建設途上や完成直後の建物内部には接着剤や塗料等から発生する多種多様のガスが存在しているから、アンモニアガスが吸着される以前にそれらのガスが吸着剤に吸着されてしまって早期に飽和してしまうことが考えられ、充分な効果は期待できないことも想定される。そのため、アンモニアガス等のアウトガスを充分に抑制し得る有効な手段の開発が急務であるとされていた。
【０００５】
【課題を解決するための手段】
上記事情に鑑み、本発明のアウトガス抑制方法は、アウトガスを吸着する吸着剤と該アウトガスを分解する光触媒のマイクロカプセルとを含む抑制部材をコンクリート表面を覆うように塗布もしくは貼付するようにしたものである。
【０００６】
また、本発明のアウトガス抑制部材は上記方法に適用するものであって、アウトガスを吸着する吸着剤と該アウトガスを分解する光触媒のマイクロカプセルとを含み、コンクリート表面を覆うように塗布もしくは貼付されることによりアウトガスを吸着しかつ分解するように構成されたものである。本発明のアウトガス抑制部材においては、光触媒のマイクロカプセルにおけるカプセルの壁材を透光性および通気性を有する薄膜により形成し、その光触媒のマイクロカプセルを吸着剤に担持せしめることが考えられる。あるいは、光触媒のマイクロカプセルを母粒子として、その母粒子の表面に前記吸着剤の微粒子をカプセルの壁材として付着させた構成とすることもできる。さらに、本発明のアウトガス抑制部材としては、コンクリートの表面に貼付されるシート状の基材中に、前記吸着剤と前記光触媒のマイクロカプセルとを分散せしめ、かつ該基材の表面にも光触媒または光触媒のマイクロカプセルを積層した形態のものが好適である。
【０００７】
【発明の実施の形態】
以下、本発明に係る抑制方法および抑制部材の実施形態を図１を参照して説明する。本実施形態はコンクリート１の表面を覆うようにアウトガス抑制部材２を設置して、コンクリート１から発生するアウトガス特にアンモニアガスを抑制部材２により吸着、分解せしめ、以て、アンモニアガスがそのまま室内に放出されてしまうことを抑制するようにしたものである。
【０００８】
本実施形態の抑制部材２は、アンモニアガスを吸着する吸着剤３と、アンモニアガスを分解する光触媒４を有するものであり、コンクリート１の表面を覆うように貼付されるシート状の不織布や樹脂を基材５として形成したものである。
【０００９】
吸着剤３としてはたとえばゼオライトや活性炭、シリカ等が好適に採用可能である。光触媒４は光反応によりアンモニアガスを分解する機能を有するもので、具体的にはたとえばアナターゼ型二酸化チタンが好適に採用可能である。本実施形態の抑制部材２においては、光触媒４が吸着剤３を担体としてそれに担持せしめられて基材５内部に分散しているとともに、基材５の表面に光触媒４が単体で積層せしめられた構成とされている。
【００１０】
なお、光触媒４を微小なマイクロカプセルの形態として用いることにより、基材５自体が光触媒４により分解されたり劣化するようなことを回避できる。光触媒４をマイクロカプセル化するには公知の界面反応法が採用可能であり、カプセル壁材（マイクロカプセルにおける容器としてのカプセルを形成するための壁材）としてはたとえばシリカやケイ酸カルシウム等の透光性を有するとともに多孔質で通気性を有する薄膜を採用すれば良い。
【００１１】
上記構成の抑制部材２を上記のようにコンクリート１表面を覆うように取り付けることにより、コンクリート１から発生したアンモニアガス等のアウトガスが吸着剤３に吸着され、かつ吸着されたアンモニアガスは光触媒４により分解されてしまう。したがって吸着剤４が飽和してしまうことがなく、吸着材４の吸着機能を長期にわたって維持することができる。また、吸着されなかったアンモニアガスや、吸着剤３から離脱したアンモニアガスは、基材５表面に積層されている光触媒４により分解されてしまい、室内にそのまま放出されることはない。しかも、基材５表面に積層されている光触媒４は光反応に必要な紫外線を充分に受けることができるから、優れた分解効率を得ることができる。
【００１２】
さらに、光触媒４はアンモニアガス等のアウトガスのみならず種々の有害物質に対する分解作用を有し、また坑菌性や防汚染性を有するので基材５表面を常に清浄に維持することができるものであり、したがって本発明は美術館や博物館に限らず清浄性が要求されるような各種用途の建築物たとえばクリーンルーム等に適用しても好適である。
【００１３】
なお、上記実施形態の抑制部材２はシート状の基材５を用いてコンクリート表面に貼付するものとしたが、シート状とすることに限らず、光触媒４を担持あるいは添加せしめた吸着剤３をコンクリート１表面に直接的に塗布して塗膜を形成するようにしても良い。
【００１４】
図２および図３は本発明の抑制部材の他の実施形態を示すものである。本実施形態は、ゼオライト等の吸着剤３をカプセル壁材として光触媒４をマイクロカプセル化して用いるものである。この場合、マイクロカプセル化するための調製方法として、数種類の粉体粒子を高速の気流中で攪拌混合することによって比較的大きな母粒子の表面に微小な粒子をカプセル壁材として付着せしめるという高速気流衝撃法を採用することにより、図３に示すように光触媒４の粒子を母粒子とし、ゼオライト等の吸着剤３の微粒子をカプセル壁材としてその表面に付着せしめることができる。そのようにマイクロカプセル化した光触媒４を図２に示すように上記実施形態と同様に基材５中に分散せしめれば、カプセル壁材である吸着剤３に吸着されたアンモニアガス等のアウトガスが母粒子である光触媒４により効率良く分解される。なお、図２では上記実施形態と同様に基材５の表面に光触媒４を単体で積層せしめているが、その光触媒４も同様にマイクロカプセル化しても勿論良い。
【００１５】
【発明の効果】
本発明のアウトガス抑制方法は、コンクリートから発生するアンモニアガス等のアウトガスを吸着する吸着剤のみならず、それを分解する光触媒のマイクロカプセルを有する抑制部材によりコンクリート表面を覆うようにしたので、吸着剤が早期に飽和してしまうことを防止し得てその吸着作用を長期にわたって維持することが可能である。
【００１６】
また、本発明の抑制部材はアンモニアガス等のアウトガスを吸着剤により吸着するのみならず、吸着したアウトガスを光触媒のマイクロカプセルにより分解し、また吸着されなかったアウトガスを光触媒により分解し得るものであり、光触媒をマイクロカプセル化したことにより光触媒によって基材等が劣化してしまうようなことも回避できるから、アウトガスの放出を長期にわたって抑制できかつ優れた抑制効果を得ることができ、上記方法に適用するものとして最適である。特に、光触媒のマイクロカプセルを吸着剤に担持せしめれば、吸着剤により吸着したアウトガスを速やかに光触媒により分解せしめることができる。また、光触媒のマイクロカプセルを母粒子としてその表面に吸着剤の微粒子をカプセルの壁材として付着させた構成とすれば、カプセル壁材としての吸着剤の微粒子が吸着したアウトガスをカプセル内の光触媒の母粒子により効率的に分解することができる。さらに、コンクリートの表面に貼付されるシート状の基材を用いて、その基材中に吸着剤と光触媒のマイクロカプセルとを分散せしめ、かつ基材の表面にも光触媒または光触媒のマイクロカプセルを積層すれば、取り扱いが容易であってコンクリートに対して容易に張り付けることができるとともに、光触媒が反応するに必要な光を自ずと受光し得るからより優れた抑制効果が得られる。
【図面の簡単な説明】
【図１】  本発明に係る抑制方法および抑制部材の実施形態を模式的に示す図である。
【図２】  本発明に係る抑制方法および抑制部材の他の実施形態を模式的に示す図である。
【図３】  同実施形態におけるマイクロカプセル化した光触媒を模式的に示す図である。
【符号の説明】
１  コンクリート
２  アウトガス抑制部材
３  吸着剤
４  光触媒
５  基材
【図１】
0003800460.tif 000002
【図２】
0003800460.tif 000003
【図３】
0003800460.tif 000004